(57)【要約】【課題】失報の可能性を軽減できるワイヤレス警備システムを提供する。【解決手段】警備対象領域の所定の物理量が検知されると、検知信号Ｓ１が出力される。リトリガ設定部１４で、発報送信禁止状態は、最新の検知信号Ｓ１の出力時から第１時間に亘って継続すると、または、第２時間に亘って継続すると、発報送信許可状態に移行する。発報部１５は、発報送信禁止状態が発報送信許可状態に移行する時、最新の検知信号Ｓ１の出力時間を示す発報予備信号Ｓ３を出力する。発報部２５は、出力時間が警備対象領域の警備開始時間よりも後であると、発報信号Ｓ６を出力する。【選択図】図１
2019191986.tif 000002
【特許請求の範囲】
【請求項１】
警備対象領域の所定の物理量を検知すると、検知信号を出力する物理量検知部と、
発報送信禁止状態または発報送信許可状態を保持し、前記発報送信禁止状態は、最新の前記検知信号の出力時から第１時間に亘って継続すると、または、前記第１時間よりも長い第２時間に亘って継続すると、前記発報送信許可状態に移行するリトリガ設定部と、
前記発報送信許可状態が保持される時に前記検知信号が出力される時、または、前記発報送信禁止状態が前記発報送信許可状態に移行する時、前記物理量の検知を示すまたは前記最新の前記検知信号の出力時間を示す発報予備信号を出力し、前記発報送信禁止状態が保持される時に前記検知信号が出力される時、前記発報予備信号を出力しない第１発報部と、
前記出力時間が前記警備対象領域の警備開始時間よりも後であると、発報信号を出力する第２発報部と、
を備えることを特徴とするワイヤレス警備システム。
【請求項２】
前記物理量検知部は、前記警備対象領域の人が発する赤外線を検知すると、前記検知信号を出力する、
ことを特徴とする請求項１記載のワイヤレス警備システム。
【請求項３】
ワイヤレス赤外線センサと、
前記ワイヤレス赤外線センサと無線ローカルネットワークを介して通信するコントローラと、
を備え、
前記ワイヤレス赤外線センサは、前記物理量検知部、前記リトリガ設定部、及び、前記第１発報部を備え、前記コントローラは、前記第２発報部を備える、
ことを特徴とする請求項２記載のワイヤレス警備システム。
【請求項４】
前記コントローラは、警備開始モードまたは警備解除モードを設定されるモード設定部を、さらに備える、
ことを特徴とする請求項３記載のワイヤレス警備システム。
【請求項５】
前記リトリガ設定部は、前記警備開始モードまたは前記警備解除モードに基づき、前記第１時間を設定される、
ことを特徴とする請求項４記載のワイヤレス警備システム。
【請求項６】
前記リトリガ設定部は、前記警備開始モード時の前記第１時間が前記警備解除モード時の前記第１時間よりも短いように、前記第１時間を設定される、
ことを特徴とする請求項５記載のワイヤレス警備システム。
【発明の詳細な説明】
【技術分野】
【０００１】
本発明は、ワイヤレス警備システムに関する。
【背景技術】
【０００２】
ワイヤレス警備システムは、ワイヤレスセンサ及びコントローラを備える（例えば、特許文献１参照）。このワイヤレスセンサにおいて、センサ入力が発生すると、検知信号がコントローラに送信され、且つ、送信許可タイマが起動する。送信許可タイマの設定時間が経過する前に次のセンサ入力が発生すると、検知信号がコントローラに送信され、且つ、送信禁止タイマが起動する。
【０００３】
すると、送信禁止タイマの設定時間が経過する前に次のセンサ入力が発生しても、検知信号はコントローラに送信されない。すると、その分、検知信号の送信回数が減るので、ワイヤレスセンサの電池が消耗しにくい。
【先行技術文献】
【特許文献】
【０００４】
【特許文献１】特開２００８−１２３１４６号公報
【発明の概要】
【発明が解決しようとする課題】
【０００５】
ここで、送信禁止タイマが起動している時に、警備開始モードが設定されるとする。すると、警備開始モードが設定された後において、送信禁止タイマが起動していると、送信禁止タイマの設定時間が経過する前にセンサ入力が発生しても、検知信号はコントローラに送信されない。つまり、失報の可能性が存在する。本発明は、上記課題に鑑みてなされ、失報の可能性を軽減できるワイヤレス警備システムを提供する。
【課題を解決するための手段】
【０００６】
本発明は、上記課題を解決するため、警備対象領域の所定の物理量を検知すると、検知信号を出力する物理量検知部と、発報送信禁止状態または発報送信許可状態を保持し、前記発報送信禁止状態は、最新の前記検知信号の出力時から第１時間に亘って継続すると、または、前記第１時間よりも長い第２時間に亘って継続すると、前記発報送信許可状態に移行するリトリガ設定部と、前記発報送信許可状態が保持される時に前記検知信号が出力される時、または、前記発報送信禁止状態が前記発報送信許可状態に移行する時、前記物理量の検知を示すまたは前記最新の前記検知信号の出力時間を示す発報予備信号を出力し、前記発報送信禁止状態が保持される時に前記検知信号が出力される時、前記発報予備信号を出力しない第１発報部と、前記出力時間が前記警備対象領域の警備開始時間よりも後であると、発報信号を出力する第２発報部と、を備えることを特徴とするワイヤレス警備システムを提供する。
【発明の効果】
【０００７】
本発明によれば、ワイヤレス警備システムは、失報の可能性を軽減できる。
【図面の簡単な説明】
【０００８】
【図１】ワイヤレス警備システムの構成を示すブロック図である。
【図２】本システムにおける各信号のタイミングチャートを示す図である。
【図３】本システムにおける各信号のタイミングチャートを示す図である。
【図４】本システムにおける各信号のタイミングチャートを示す図である。
【図５】本システムの他の構成を示すブロック図である。
【発明を実施するための形態】
【０００９】
以下、本発明の実施形態を、図面を参照して説明する。
図１は、ワイヤレス警備システムの構成を示すブロック図である。
【００１０】
＜要素＞
ワイヤレス警備システムは、ワイヤレス赤外線センサ１０、コントローラ２０、監視センタ３０、操作部４０、及び、無線ローカルネットワーク５０を備える。ここで、ワイヤレス警備システムは、複数のワイヤレス赤外線センサ１０を備えるが、説明の簡略のため、図１のように、１つのワイヤレス赤外線センサ１０を備える。
【００１１】
ワイヤレス赤外線センサ１０は、例えば２階建て住居の２階の居間に設置され、赤外線検知部１１、制御部１２、表示部１６、及び、電源部１７を備える。制御部１２は、カウンタ１３、リトリガ設定部１４、及び、発報部１５を備える。コントローラ２０は、例えば２階建て住居の１階の居間に設置され、操作部２１、制御部２２、及び、表示部２６を備える。制御部２２は、モード設定部２３、カウンタ２４、及び、発報部２５を備える。
監視センタ３０は、例えば警備会社である。操作部４０は、例えば２階建て住居の１階の玄関に設置される。
【００１２】
＜要素の接続関係＞
ワイヤレス赤外線センサ１０は、コントローラ２０と、無線ローカルネットワーク５０を介して通信する。また、監視センタ３０は、コントローラ２０と、有線ネットワークまたは無線ネットワークを介して通信する。また、操作部４０は、コントローラ２０と、有線ローカルネットワークまたは無線ローカルネットワークを介して通信する。ここで、ワイヤレス赤外線センサ１０、コントローラ２０、監視センタ３０、及び、操作部４０のそれぞれは、既知の技術であるインターフェースを備え、このインターフェースは、異なる機器や装置を通信可能に接続する。
【００１３】
赤外線検知部１１は、表示部１６及び制御部１２に、検知信号Ｓ１を出力する。カウンタ１３は、検知信号Ｓ１に基づき、リトリガ設定部１４及び発報部１５に、カウント値Ｃ１〜Ｃ２を出力する。リトリガ設定部１４は、検知信号Ｓ１とカウンタ１３のカウント値Ｃ１〜Ｃ２と認識信号Ｓ４とに基づき、発報部１５に、状態保持信号Ｓ２を出力する。発報部１５は、検知信号Ｓ１とカウンタ１３のカウント値Ｃ１と状態保持信号Ｓ２とに基づき、無線ローカルネットワーク５０を介し、コントローラ２０の発報部２５に発報予備信号Ｓ３を出力する。電源部１７は、赤外線検知部１１と制御部１２と表示部１６とに、電源を供給する。
【００１４】
操作部２１または操作部４０は、モード設定部２３に、操作信号を出力する。モード設定部２３は、操作信号に基づき、カウンタ２４及び発報部２５に、状態保持信号Ｓ５を出力する。カウンタ２４は、状態保持信号Ｓ５に基づき、発報部２５に、カウント値Ｃ３を出力する。発報部２５は、状態保持信号Ｓ５とカウンタ２４のカウント値Ｃ３と発報予備信号Ｓ３とに基づき、表示部２６及び監視センタ３０に、発報信号Ｓ６を出力する。また、発報部２５は、状態保持信号Ｓ５及び発報予備信号Ｓ３に基づき、無線ローカルネットワーク５０を介し、赤外線センサ１０の制御部１２に認識信号Ｓ４を出力する。
【００１５】
＜要素の機能＞
赤外線検知部１１は、警備対象領域（例えば、２階建て住居の２階の居間）の人が発する赤外線を検知すると、検知信号Ｓ１を出力する。表示部１６は、ＬＥＤ（Light Emitting Diode）などの発光手段を備え、検知信号Ｓ１に基づき、ＬＥＤを発光させる。電源部１７は、ワイヤレス赤外線センサ１０が内蔵する電池であり、ワイヤレス赤外線センサ１０の各要素に電源を供給する。
【００１６】
ここで、第１時間Ｐ２は、警備解除モード時において、ワイヤレス赤外線センサ１０が発報の送信を禁止される時間である。第１時間Ｐ２’は、警備開始モード時において、ワイヤレス赤外線センサ１０が発報の送信を禁止される時間である。第２時間Ｐ３は、警備解除モード時において、ワイヤレス赤外線センサ１０が発報の送信を禁止される最長の時間である。第２時間Ｐ３’は、警備開始モード時において、ワイヤレス赤外線センサ１０が発報の送信を禁止される最長の時間である。第１時間Ｐ２は、第１時間Ｐ２’よりも長く設定される。第２時間Ｐ３は、第２時間Ｐ３’よりも長く設定される。第２時間Ｐ３は、第１時間Ｐ２よりも長く設定される。第２時間Ｐ３’は、第１時間Ｐ２’よりも長く設定される。第１時間Ｐ２、第１時間Ｐ２’、第２時間Ｐ３、及び、第２時間Ｐ３’は、ワイヤレス赤外線センサ１０のディップスイッチ（Dual In line Package switch）の操作などにより、リトリガ設定部１４に設定される。
【００１７】
第１時間Ｐ２は、ワイヤレス赤外線センサ１０の設置環境において、人が居た後にその人が居なくなったと想定される時間である。例えば、第１時間Ｐ２は、２階建て住居の住人が操作部２１を操作してから、その住人がその住居の１階の玄関から外に出るまでの時間である。または、第１時間Ｐ２は、その住人が外出するときにワイヤレス赤外線センサ１０に検知されてから、その住人がその玄関の操作部４０を操作するまでの時間である。
【００１８】
検知信号Ｓ１が出力されると、リトリガ設定部１４は発報送信許可状態（状態保持信号Ｓ２がローレベルである状態）から発報送信禁止状態（状態保持信号Ｓ２がハイレベルである状態）に移行し、カウンタ１３のカウント値Ｃ１〜Ｃ２のそれぞれはカウントを０から開始する。その後、カウント値Ｃ１が第１時間Ｐ２に到達するまでに、次の検知信号Ｓ１が出力されないと、リトリガ設定部１４は発報送信禁止状態から発報送信許可状態に移行する。
【００１９】
また、カウント値Ｃ１が第１時間Ｐ２に到達するまでに、次の検知信号Ｓ１が出力されると、リトリガ設定部１４は発報送信禁止状態を維持し、カウント値Ｃ１はリセットされてカウントを０から開始する。また、リトリガ設定部１４が発報送信禁止状態を保持したままで、カウンタ１３のカウント値Ｃ２が第２時間Ｐ３に到達すると、リトリガ設定部１４は発報送信禁止状態から発報送信許可状態に移行する。
【００２０】
ここで、リトリガ設定部１４が発報送信禁止状態（状態保持信号Ｓ２がハイレベルである状態）から発報送信許可状態（状態保持信号Ｓ２がローレベルである状態）に移行すると、カウンタ１３はリトリガ設定部１４の状態移行時のカウント値Ｃ１を発報部１５に出力する。この時のカウント値Ｃ１は、最新の検知信号Ｓ１の出力時間を示す。この出力時間は、最新の検知信号Ｓ１の出力時からリトリガ設定部１４の状態移行時までの時間である。
【００２１】
リトリガ設定部１４は、発報送信禁止状態（状態保持信号Ｓ２がハイレベルである状態）または発報送信許可状態（状態保持信号Ｓ２がローレベルである状態）を保持する。発報送信禁止状態は、ワイヤレス赤外線センサ１０が発報の送信を禁止されることを示す。発報送信許可状態は、ワイヤレス赤外線センサ１０が発報の送信を許可されることを示す。
【００２２】
発報送信禁止状態は、最新の検知信号Ｓ１の出力時から第１時間Ｐ２に亘って継続すると、発報送信許可状態に移行する。また、発報送信禁止状態は、第２時間Ｐ３に亘って継続すると、発報送信許可状態に移行する。リトリガ設定部１４は、警備開始モード時の第１時間Ｐ２’が警備解除モード時の第１時間Ｐ２よりも短いように、第１時間Ｐ２及び第１時間Ｐ２’を設定される。リトリガ設定部１４は、警備開始モード時の第２時間Ｐ３’が警備解除モード時の第２時間Ｐ３よりも短いように、第２時間Ｐ３及び第２時間Ｐ３’を設定される。
【００２３】
リトリガ設定部１４が発報送信許可状態（状態保持信号Ｓ２がローレベルである状態）を保持する時で、赤外線検知部１１が検知信号Ｓ１を出力する時、発報部１５は赤外線の検知を示す発報予備信号Ｓ３を発報部２５に出力する。また、リトリガ設定部１４が発報送信禁止状態（状態保持信号Ｓ２がハイレベルである状態）を保持する時で、赤外線検知部１１が検知信号Ｓ１を出力する時、発報部１５は発報予備信号Ｓ３を発報部２５に出力しない。
【００２４】
また、検知信号Ｓ１が出力されてから第１時間Ｐ２が経過するまでに、次の検知信号Ｓ１が出力されないと、リトリガ設定部１４が発報送信禁止状態から発報送信許可状態に移行する。また、リトリガ設定部１４が発報送信禁止状態を保持したままで、第２時間Ｐ３が経過すると、リトリガ設定部１４が発報送信禁止状態から発報送信許可状態に移行する。これらの状態移行時において、発報部１５は最新の検知信号Ｓ１の出力時間を示す発報予備信号Ｓ３を発報部２５に出力する。この時、発報部１５は、リトリガ設定部１４の状態移行時のカウンタ１３のカウント値Ｃ１を受信し、そのカウント値Ｃ１を発報予備信号Ｓ３として出力する。
【００２５】
操作部２１または操作部４０は、管理者（例えば、２階建て住居の住人）によって操作され、警備開始モードまたは警備解除モードの設定を受け付ける。モード設定部２３は、操作部２１または操作部４０を介し、警備開始モードまたは警備解除モードを設定される。モード設定部２３は、警備開始状態（状態保持信号Ｓ５がハイレベルである状態）または警備解除状態（状態保持信号Ｓ５がローレベルである状態）を保持する。警備開始状態は、警備開始モードが設定されていることを示す。警備解除状態は、警備解除モードが設定されていることを示す。モード設定部２３が警備開始モードを設定されると、カウンタ２４のカウント値Ｃ３はカウントを０から開始する。
【００２６】
ここで、操作部２１または操作部４０が警備開始モードの設定を受け付け、モード設定部２３が警備開始モードを設定され、モード設定部２３が警備解除状態（状態保持信号Ｓ５がローレベルである状態）から警備開始状態（状態保持信号Ｓ５がハイレベルである状態）に移行すると、カウンタ２４のカウント値Ｃ３がカウントを０から開始する。発報部２５が発報予備信号Ｓ３を受信すると、カウンタ２４は発報予備信号Ｓ３の受信時のカウント値Ｃ３を発報部２５に出力する。この時のカウント値Ｃ３は、警備開始時間を示す。この警備開始時間は、警備開始モード設定時から発報予備信号Ｓ３の受信時までの時間である。
【００２７】
発報部２５が赤外線の検知を示す発報予備信号Ｓ３を受信すると、警備開始モード時、発報部２５は発報信号Ｓ６を出力する。また、発報部２５が最新の検知信号Ｓ１の出力時間を示す発報予備信号Ｓ３を受信すると、発報部２５はカウンタ１３のカウント値Ｃ１である出力時間とカウンタ２４のカウント値Ｃ３である警備開始時間とを比較する。出力時間が警備開始時間よりも後であると、つまり、カウンタ１３のカウント値Ｃ１がカウンタ２４のカウント値Ｃ３よりも小さいと、発報部２５は発報信号Ｓ６を出力する。
【００２８】
出力時間が警備開始時間よりも前であると、つまり、カウント値Ｃ１がカウント値Ｃ３よりも大きいと、発報部２５は発報信号Ｓ６を出力しない。また、発報部２５は、発報予備信号Ｓ３を受信すると、その旨を示す認識信号Ｓ４を制御部１２に出力する。制御部１２は、認識信号Ｓ４を所定時間内に受信すると、発報予備信号Ｓ３の発報部２５への出力が成功したことを認識する。制御部１２は、認識信号Ｓ４を所定時間内に受信しないと、発報予備信号Ｓ３の発報部２５への出力が失敗したことを認識し、再度、発報予備信号Ｓ３を発報部２５に出力する。
【００２９】
ここで、認識信号Ｓ４は、発報部２５が発報予備信号Ｓ３の受信に成功したことを示すが、さらに、モード設定部２３が警備開始モードを設定されるか警備解除モードを設定されるかを示す。この認識信号Ｓ４に基づき、リトリガ設定部１４は、モード設定部２３が警備開始モードを設定されていることを認識すると、警備開始モード時の第１時間Ｐ２’及び第２時間Ｐ３’を設定され、モード設定部２３が警備解除モードを設定されていることを認識すると、警備解除モード時の第１時間Ｐ２及び第２時間Ｐ３を設定される。
【００３０】
表示部２６は、ＬＥＤなどの発光手段を備え、発報信号Ｓ６に基づき、ＬＥＤを発光させる。監視センタ３０は、発報信号Ｓ６に基づき、警備に関する所定の判断を行う。例えば、監視センタ３０は、警備開始モード時、発報信号Ｓ６に係るワイヤレス赤外線センサ１０の場所に警備員を派遣する。
【００３１】
＜動作１＞
図２の（Ａ）は、ワイヤレス警備システムにおける各信号のタイミングチャートを示す図である。ここで、検知信号Ｓ１が出力されることは、検知信号Ｓ１がローレベルからハイレベルに一時的に変化することと同義である。発報予備信号Ｓ３も同様であり、発報信号Ｓ６も同様である。
【００３２】
時刻Ｔ４において、赤外線検知部１１が、警備対象領域の人が発する赤外線を検知し、検知信号Ｓ１を出力する。つまり、検知信号Ｓ１が、ローレベルからハイレベルに一時的に変化する。すると、リトリガ設定部１４の状態保持信号Ｓ２はローレベルからハイレベルに変化し、ワイヤレス赤外線センサ１０が発報の送信を禁止され、且つ、カウンタ１３のカウント値Ｃ１〜Ｃ２のそれぞれはカウントを０から開始する。
【００３３】
検知信号Ｓ１の出力時において、状態保持信号Ｓ２はローレベルであるので、発報部１５は発報予備信号Ｓ３を出力する。つまり、発報予備信号Ｓ３が、ローレベルからハイレベルに一時的に変化する。その後、警備解除モードが設定されているので、発報部２５は発報信号Ｓ６を出力しない。つまり、発報信号Ｓ６が、ローレベルのままである。
【００３４】
時刻Ｔ５において、カウンタ１３のカウント値Ｃ１が第１時間Ｐ２に到達する前に、赤外線検知部１１が、警備対象領域の人が発する赤外線を検知し、検知信号Ｓ１を出力する。すると、リトリガ設定部１４の状態保持信号Ｓ２はハイレベルの状態を保持し、ワイヤレス赤外線センサ１０が発報の送信を禁止されるままであり、且つ、カウンタ１３のカウント値Ｃ１はリセットされてカウントを０から開始する。カウンタ１３のカウント値Ｃ２は、リセットされない。時刻Ｔ５の検知信号Ｓ１の出力時において、状態保持信号Ｓ２はハイレベルであるので、発報部１５は発報予備信号Ｓ３を出力しない。よって、その分、ワイヤレス赤外線センサ１０の電源部１７の電池が消耗しない。
【００３５】
時刻Ｔｘにおいて、操作部２１または操作部４０が警備開始モードの設定を受け付け、モード設定部２３が警備開始モードを設定され、モード設定部２３の状態保持信号Ｓ５はローレベルからハイレベルに変化する。すると、カウンタ２４のカウント値Ｃ３がカウントを０から開始する。
【００３６】
時刻Ｔ７において、カウンタ１３のカウント値Ｃ１が第１時間Ｐ２に到達する前に、赤外線検知部１１が、警備対象領域の人が発する赤外線を検知しないで、検知信号Ｓ１を出力しない。つまり、時刻Ｔ５から第１時間Ｐ２が経過する間において、検知信号Ｓ１が出力されない。すると、リトリガ設定部１４の状態保持信号Ｓ２はハイレベルからローレベルに変化し、ワイヤレス赤外線センサ１０が発報の送信を許可される。この時、発報部１５は、最新の検知信号Ｓ１（時刻Ｔ５の検知信号Ｓ１）の出力時間を示す発報予備信号Ｓ３を出力する。この出力時間は、第１時間Ｐ２と同じであり、リトリガ設定部１４の状態移行時のカウント値Ｃ１である。
【００３７】
ここで、発報部２５は、リトリガ設定部１４の状態移行時におけるカウンタ１３のカウント値Ｃ１である最新の検知信号Ｓ１の出力時間と、発報予備信号Ｓ３の受信時におけるカウンタ２４のカウント値Ｃ３である警備開始時間と、を比較する。すると、出力時間が警備開始時間よりも前であるので、つまり、カウント値Ｃ１がカウント値Ｃ３よりも大きいので、発報部２５は発報信号Ｓ６を出力しない。
【００３８】
＜動作２＞
図２の（Ｂ）は、ワイヤレス警備システムにおける各信号のタイミングチャートを示す図である。警備開始モードが設定される時刻Ｔｘは、動作１では、時刻Ｔ５と時刻Ｔ７との間に存在するが、動作２では、時刻Ｔ４と時刻Ｔ５との間に存在する。すると、時刻Ｔ７において、発報部２５は最新の検知信号Ｓ１の出力時間と警備開始時間とを比較し、出力時間が警備開始時間よりも後であるので、つまり、カウンタ１３のカウント値Ｃ１がカウンタ２４のカウント値Ｃ３よりも小さいので、時刻Ｔ７において、発報部２５は発報信号Ｓ６を出力する。この動作により、警備開始モード時の時刻Ｔ５の検知信号Ｓ１が無視されず、この検知信号Ｓ１に基づき、発報信号Ｓ６が出力される。
【００３９】
＜動作３＞
図３の（Ａ）は、ワイヤレス警備システムにおける各信号のタイミングチャートを示す図である。動作１では、時刻Ｔ５から第１時間Ｐ２が経過するまでの間において、検知信号Ｓ１が出力されないが、動作３では、時刻Ｔ６において検知信号Ｓ１が出力される。
【００４０】
時刻Ｔ６において、カウンタ１３のカウント値Ｃ１が第１時間Ｐ２に到達する前に、赤外線検知部１１が、警備対象領域の人が発する赤外線を検知し、検知信号Ｓ１を出力する。すると、リトリガ設定部１４の状態保持信号Ｓ２はハイレベルの状態を保持し、ワイヤレス赤外線センサ１０が発報の送信を禁止されるままであり、且つ、カウンタ１３のカウント値Ｃ１はリセットされてカウントを０から開始する。カウンタ１３のカウント値Ｃ２は、リセットされない。時刻Ｔ６の検知信号Ｓ１の出力時において、状態保持信号Ｓ２はハイレベルであるので、発報部１５は発報予備信号Ｓ３を出力しない。よって、その分、ワイヤレス赤外線センサ１０の電源部１７の電池が消耗しない。
【００４１】
時刻Ｔ７において、カウンタ１３のカウント値Ｃ１が第１時間Ｐ２に到達する前に、カウンタ１３のカウント値Ｃ２が第２時間Ｐ３に到達する。すると、リトリガ設定部１４の状態保持信号Ｓ２はハイレベルからローレベルに変化し、ワイヤレス赤外線センサ１０が発報の送信を許可される。この時、発報部１５は、最新の検知信号Ｓ１（時刻Ｔ６の検知信号Ｓ１）の出力時間を示す発報予備信号Ｓ３を出力する。この出力時間は、第１時間Ｐ２と異なり、リトリガ設定部１４の状態移行時のカウント値Ｃ１である。ここで、発報部２５は、出力時間と警備開始時間とを比較する。すると、出力時間が警備開始時間よりも前であるので、つまり、カウンタ１３のカウント値Ｃ１がカウンタ２４のカウント値Ｃ３よりも大きいので、発報部２５は発報信号Ｓ６を出力しない。
【００４２】
＜動作４＞
図３の（Ｂ）は、ワイヤレス警備システムにおける各信号のタイミングチャートを示す図である。警備開始モードが設定される時刻Ｔｘは、動作３では、時刻Ｔ６と時刻Ｔ７との間に存在するが、動作２では、時刻Ｔ５と時刻Ｔ６との間に存在する。すると、時刻Ｔ７において、発報部２５は最新の検知信号Ｓ１の出力時間と警備開始時間とを比較し、出力時間が警備開始時間よりも後であるので、つまり、カウンタ１３のカウント値Ｃ１がカウンタ２４のカウント値Ｃ３よりも小さいので、時刻Ｔ７において、発報部２５は発報信号Ｓ６を出力する。この動作により、警備開始モード時の時刻Ｔ６の検知信号Ｓ１が無視されず、この検知信号Ｓ１に基づき、発報信号Ｓ６が出力される。
【００４３】
＜補足＞
なお、図２及び図３において、リトリガ設定部１４は、警備開始モード時、第１時間Ｐ２’及び第２時間Ｐ３’を設定され、警備解除モード時、第１時間Ｐ２及び第２時間Ｐ３を設定される。しかし、図示しないが、リトリガ設定部１４は、警備開始モード時、第１時間Ｐ２’及び第２時間Ｐ３’を設定されないで、警備解除モード時、第１時間Ｐ２及び第２時間Ｐ３を設定されても良い。すると、警備開始モード時、検知信号Ｓ１の出力の頻度と、発報予備信号Ｓ３の出力の頻度と、発報信号Ｓ６の出力の頻度と、は、同じである。
【００４４】
また、警備対象領域の所定の物理量を検知する物理量検知部として、図１では、警備対象領域の人が発する赤外線を検知する赤外線検知部１１が使用される。しかし、図示しないが、警備対象領域の照度を検知する照度検知部、警備対象領域の音を検知する音検知部、または、警備対象領域の窓やドアの開閉を検知する開閉検知部が使用されても良い。
【００４５】
また、図２及び図３では、ワイヤレス赤外線センサ１０の動作シーケンスは１つであるが、図４に示すように、ワイヤレス赤外線センサ１０の動作シーケンスは２つであっても良い。具体的には、図４において、時刻Ｔ１〜Ｔ３に係るワイヤレス赤外線センサ１０の動作シーケンスは、第１動作シーケンスに該当し、時刻Ｔ４〜Ｔ７に係るワイヤレス赤外線センサ１０の動作シーケンスは、第２動作シーケンスに該当し、時刻Ｔ８に係るワイヤレス赤外線センサ１０の動作シーケンスは、第１動作シーケンスに該当する。第１動作シーケンスと第２動作シーケンスとが、交互に行われる。
【００４６】
ここで、第２動作シーケンスでは、前述の第１時間Ｐ２、第１時間Ｐ２’、第２時間Ｐ３、及び、第２時間Ｐ３’が使用される。第１動作シーケンスでは、ワイヤレス赤外線センサ１０が発報の送信を禁止される特定時間Ｐ１が使用される。
【００４７】
時刻Ｔ１において、赤外線検知部１１が、警備対象領域の人が発する赤外線を検知し、検知信号Ｓ１を出力する。すると、リトリガ設定部１４の状態保持信号Ｓ２はローレベルからハイレベルに変化し、ワイヤレス赤外線センサ１０が発報の送信を禁止され、且つ、カウンタ１３のカウント値Ｃ１はカウントを０から開始する。検知信号Ｓ１の出力時において、状態保持信号Ｓ２はローレベルであるので、発報部１５は発報予備信号Ｓ３を出力する。その後、警備解除モードが設定されているので、発報部２５は発報信号Ｓ６を出力しない。
【００４８】
時刻Ｔ２において、カウンタ１３のカウント値Ｃ１が特定時間Ｐ１に到達する前に、赤外線検知部１１が、警備対象領域の人が発する赤外線を検知し、検知信号Ｓ１を出力する。すると、リトリガ設定部１４の状態保持信号Ｓ２はハイレベルの状態を保持し、ワイヤレス赤外線センサ１０が発報の送信を禁止されるままであり、且つ、カウンタ１３のカウント値Ｃ１はカウントを続ける。時刻Ｔ２の検知信号Ｓ１の出力時において、状態保持信号Ｓ２はハイレベルであるので、発報部１５は発報予備信号Ｓ３を出力しない。
【００４９】
時刻Ｔ３において、カウンタ１３のカウント値Ｃ１が特定時間Ｐ１に到達する。すると、リトリガ設定部１４の状態保持信号Ｓ２はハイレベルからローレベルに変化し、ワイヤレス赤外線センサ１０が発報の送信を許可される。時刻Ｔ４〜Ｔ７において、前述の図２の（Ａ）の時刻Ｔ４〜Ｔ７の動作が行われる。時刻Ｔ８において、前述の図４の時刻Ｔ１の動作が行われる。
【００５０】
また、ワイヤレス赤外線センサ１０は、図１では、１つの筐体で構成されるが、図５に示すように、赤外線センサ６０及びワイヤレス中継器５０による２つの筐体で構成されても良い。図１では、ワイヤレス赤外線センサ１０が、赤外線検知部１１、制御部１２、表示部１６、及び、電源部１７を備える。図５では、赤外線センサ６０が、赤外線検知部１１、表示部１６、及び、電源部１７を備え、ワイヤレス中継器５０が、制御部１２を備える。このワイヤレス中継器５０は、表示部１６と同じ機能を有する表示部５１、及び、電源部１７と同じ機能を有する電源部５２を追加される。赤外線センサ６０は、ワイヤレス中継器５０と、有線ローカルネットワークを介して通信する。
【００５１】
また、図５では、１つの赤外線センサ６０が、ワイヤレス中継器５０と通信するが、図示しないが、複数の赤外線センサが、ワイヤレス中継器５０と通信しても良い。
【００５２】
また、ワイヤレス警備システムにおいて、ワイヤレス赤外線センサ１０のみが使用されても良く、赤外線センサ６０及びワイヤレス中継器５０のみが使用されてもよく、ワイヤレス赤外線センサ１０と赤外線センサ６０及びワイヤレス中継器５０とが混在して使用されても良い。
【００５３】
また、発報部１５は、警備解除モード時、検知信号Ｓ１の入力により、検知信号Ｓ１に係るワイヤレス赤外線センサ１０は正常に動作していると判断しても良い。
【符号の説明】
【００５４】
１０…ワイヤレス赤外線センサ
１１…赤外線検知部
１２、２２…制御部
１３、２４…カウンタ
１４…リトリガ設定部
１５、２５…発報部
１６、２６…表示部
１７…電源部
２０…コントローラ
２１、４０…操作部
２３…モード設定部
３０…監視センタ
５０…無線ローカルネットワーク
Ｓ１…検知信号
Ｓ２、Ｓ５…状態保持信号
Ｓ３…発報予備信号
Ｓ４…認識信号
Ｓ６…発報信号
【図１】
2019191986.tif 000003
【図２】
2019191986.tif 000004
【図３】
2019191986.tif 000005
【図４】
2019191986.tif 000006
【図５】
2019191986.tif 000007